(57)【要約】      （修正有）【課題】ふわふわしたかき氷を家庭でも容易に作製可能な氷かき器を提供する。【解決手段】氷Ｉが載置される氷載置板２０を有する氷載置台と、氷載置台に設けられたカッター部と、載置された氷の上面を抑える押圧板５０と、押圧板を回転駆動する駆動部と、を有し、氷を押圧板で押圧しながら回転させることで、かき氷を作製する氷かき器であって、氷載置台に氷を加熱するためのヒーター７０を有するヒーターユニットを設けた。【選択図】図５Ｂ
0003216831.tif 000002
【実用新案登録請求の範囲】
【請求項１】
氷が載置される氷載置台と、
氷載置台に設けられたカッター部と、
載置された氷の上面を抑える押圧板と、
押圧板を回転駆動する駆動部と、を有し、氷を押圧板で押圧しながら回転させることで、かき氷を作製する氷かき器であって、
前記氷載置台に氷を加熱するためのヒーターを設けたことを特徴とする氷かき器。
【請求項２】
前記ヒーターは、ヒーターを保持するヒーター保持体を備えたヒーターユニットとして構成され、
氷載置台に設けられた金属製の氷載置板にヒーターユニットが取り付けられていることを特徴とする請求項１に記載の氷かき器。
【請求項３】
ヒーターユニットは前記カッター部の近傍に配置されていることを特徴とする請求項１又は２に記載の氷かき器。
【請求項４】
前記ヒーター保持体は金属製であることを特徴とする請求項１〜３のいずれか１項に記載の氷かき器。
【考案の詳細な説明】
【技術分野】
【０００１】
本考案は、氷が載置される氷載置台と、氷載置台に設けられたカッター部と、載置された氷の上面を抑える押圧板と、押圧板を回転駆動する駆動部と、を有し、氷を押圧板で押圧しながら回転させることで、かき氷を作製する氷かき器に関する。
【背景技術】
【０００２】
かかる氷かき器として、下記特許文献に開示される氷かき器が一般的である。氷載置台に予め作製しておいた氷をセットし、氷の上を押圧板で抑えて回転させることで、氷がカッターにより削り取られてかき氷を作製することができる。
【先行技術文献】
【特許文献】
【０００３】
【特許文献１】特開平１０−２３４５９２号公報
【考案の概要】
【考案が解決しようとする課題】
【０００４】
しかしながら、冷蔵庫で凍らせたばかりの氷をセットして削ると粗い氷になりがちであり、ふわふわした柔らかいかき氷を作製することが難しかった。
【０００５】
本考案は上記実情に鑑みてなされたものであり、その課題は、ふわふわしたかき氷を家庭でも容易に作製可能な氷かき器を提供することである。
【課題を解決するための手段】
【０００６】
上記課題を解決するため本考案に係る氷かき器は、
氷が載置される氷載置台と、氷載置台に設けられたカッター部と、載置された氷の上面を抑える押圧板と、押圧板を回転駆動する駆動部と、を有し、氷を押圧板で押圧しながら回転させることで、かき氷を作製する氷かき器であって、
前記氷載置台に氷を加熱するためのヒーターを設けたことを特徴とするものである。
【０００７】
かかる構成による氷かき器の作用・効果を説明する。この構成によると、氷を載置する氷載置台にヒーターが組み込まれている。したがって、氷に熱を加えながら氷を削ることができ、ふわふわしたかき氷を作製することができる。
【０００８】
本考案に係る前記ヒーターは、ヒーターを保持するヒーター保持体を備えたヒーターユニットとして構成され、
氷載置台に設けられた金属製の氷載置板にヒーターユニットが取り付けられていることが好ましい。
【０００９】
ヒーターをヒーターユニットとして構成することで取り付けを容易にすることができ、金属製の氷載置台に取り付けることで、熱を氷載置台に伝達させて氷を加熱させることができる。
【００１０】
本考案に係るヒーターユニットは前記カッター部の近傍に配置されていることが好ましい。カッターで削る箇所を加熱することで、効率よく氷に伝熱させてふわふわしたかき氷を作製することができる。
【００１１】
本考案において、前記ヒーター保持体は金属製であることが好ましい。これにより、ヒーターの熱を効率よく氷に伝達することができる。
【図面の簡単な説明】
【００１２】
【図１】本実施形態に係る氷かき器の外観を示す斜視図
【図２】前面カバーとそれに付随する部品を外した状態を示す外観斜視図
【図３】下部本体と上部本体を外して収納した状態を示す外観斜視図
【図４】図１に示す氷かき器の縦断面図
【図５Ａ】主要部分の縦断面図
【図５Ｂ】氷を載置した状態の主要部分の縦断面図
【図６】主要部分の平面図
【図７】ヒーターユニットの構成を示す分解斜視図
【図８】ヒーターの構成を示す軸方向に沿った断面図
【考案を実施するための形態】
【００１３】
本考案に係る氷かき器の好適な実施形態を図面を用いて説明する。図１は、本実施形態に係る氷かき器の外観を示す斜視図である。
【００１４】
＜全体構成＞
図１において、本体１は、下部本体１ａと上部本体１ｂを備えている。下部本体１ａには、容器を載置するための容器載置部１ｃが設けられている。上部本体１ｂには、氷載置台２と、着脱可能な前面カバー３と、操作ダイヤル４と、駆動機構が内部に収容される駆動本体部５が設けられている。また、駆動本体部５の上面には電源ボタン６が設けられている。
【００１５】
図２は、図１において前面カバー３を外した状態を示す外観斜視図である。氷載置台２は、その上に氷を載置するものであり、載置された氷を上から押さえるための押圧板５０と、押圧板５０を下方に押し付けていくためのねじ形状を有する押圧板軸５４が設けられている。図５に示すように、前面カバー３は、小径部３ａと大径部３ｂが一体成型により構成されている。
【００１６】
図３は、下部本体１ａと上部本体１ｂを外して収納した状態を示す。氷かき器を使用しないときはコンパクトにすることができるので、収容空間を小さくすることができる。
【００１７】
図４は、図１に示す氷かき器の縦断面図を示す。図５は、主要部分の断面図を示す。駆動本体部５には、駆動モータ５２と、駆動モータ５２のモータ軸に連結された減速機構５３が設けられ、押圧板軸５４と一体化された押圧板５０を回転させる。これにより、押圧板５０に押圧された氷を回転させる。
【００１８】
図３に示す操作ダイヤル４は、押圧板５０と連動しており、操作ダイヤル４を時計方向にまわすと、押圧板５０を下方向に移動させることができる。これにより、押圧板５０により氷の表面を押圧することができる。
【００１９】
図５に示すように、氷載置台２は、金属製（アルミニウム等）の氷載置板２０と、第１フレーム部材２１と第２フレーム部材２２がネジ等の機械的手段により固定されている。また、図４等に示すように、氷載置台２の内部にはヒーターユニット７が設けられており、氷載置台２に載置された氷を加熱する機能を有する。
【００２０】
図７は、ヒーターユニット７の構成を示す分解斜視図である。ヒーターユニット７は、ヒーター７０と、このヒーター７０が保持されるヒーター保持体７１と、シリコンパッキン７２と、保護カバー７３を備えている。ヒーター保持体７１は、アルミニウム等の金属製であり、ヒーター７０の熱が氷に伝達しやすいようにしている。ヒーター保持体７１をシリコンパッキン７２を介して保護カバー７３でカバーすることで、ヒーター７０に水分が付着することを防止している。
【００２１】
ヒーター保持体７１には、ヒーター７０を保持する円筒穴７１ａと、バイメタルスイッチ７４を保持する保持部７１ｂが形成されている。また、ねじ結合用のボス７１ｃが２か所形成されている。ヒーター保持体７１の周囲にシリコンパッキン７２が設けられている。保護カバー７３も、円筒穴７１ａと保持部７１ｂに対応する位置に、それぞれ切欠７３ａ，７３ｂが形成されている。また、ボス７１ｃに対応する位置に穴７３ｃが２か所形成されている。以上の構成によれば、不図示のボルトを使用してボス７１ｃに螺合させることで、ヒーター保持体７１、シリコンパッキン７２、保護カバー７３を一体結合してユニット化することができる。
【００２２】
保護カバー７３には、取り付け用の張り出し部７３ｄが設けられており、図７に示すようにネジ７３ｅにより、氷載置板２０にねじ結合することができる。また、上記ネジ７３ｅにはバネ７３ｆも搭載されており、氷載置板２０にヒーター７０が密着するように構成している。図７に示すように、ネジ７３ｅは対角線上に2カ所設けられる。
【００２３】
図６は、図５Ａの矢視Ａである。ただし、第２フレーム部材２２を外した状態である。図６に示すように、ヒーターユニット７は、氷を削るカッター部８の近傍に配置されている。カッター部８は、前面カバー３の側に搭載されており、カッター刃８０と、カッター刃８０の突出量を調節する調節ボルト８１を備えている。スリット８２から削られた氷が落下する。なお、カッター部８の構成は本実施形態に限定されるものではなく、構成は周知のものを採用することができる。
【００２４】
ヒーターユニット７は、氷の下面側を加熱するものであるが、氷全体を加熱する必要はなく（全体を加熱するまでもなく）、カッター部の近傍のみを加熱すれば十分である。すなわち、実際に氷を削る部分を加熱することで、ふわふわした柔らかい氷を削り出すことができる。
【００２５】
また、ヒーター７０の配線には、バイメタルスイッチ７４とヒューズ（不図示）が接続されている。氷を加熱するときの温度は３５℃±３．５℃であり、設定された温度になるように温度調節するものである。
【００２６】
図８は、ヒーター７０の構成を示す断面図である。ステンレス製のケース７００の中に２本の加熱ケーブル７０１が配置され、その周りにマグネシウム製の加熱棒７０２が配置される。加熱棒７０２とケース７００の間の空間にＭｇＯ（酸化マグネシウム）が充填される。ケース７００の一端部には酸化アルミニウム製の支持体７０３が配置され、他端部にも同じ素材の支持体７０４が配置され、内部を封鎖している。
【００２７】
図５Ａに示すように、氷載置台２の中央には押上ピン２４が設けられている。氷と氷載置板２０がくっついた状態になった場合に、氷を剥がすことができる。押上ピン２４は、バネ２５により退避する方向に付勢されている。
【００２８】
＜動作＞
実際に、氷を削ってかき氷を作製する時の動作を説明する。電源プラグをコンセントに挿入する。容器載置部1ｃの上に容器を載置させる。操作ダイヤル４を時計方向に回して押圧板５０を情報に戻した状態にして、前面カバー３を取り外し、氷載置台２の氷載置板20の上に作製した氷を図５Ｂに示すようにセットする。８１を回し刃の高さを調整する。電源ボタン６を押す（電源オン）。
【００２９】
次に、操作ダイヤル４を回して押圧板５０を氷の上に当接する状態にする。次に、電源ボタン６を押すことでモーター５２が起動して押圧板５０が回転駆動される。押圧板５０が回転することで押さえつけられている氷も一緒に回転する。また、電源ボタン６を押すことで、ヒーター７０が加熱されて氷を加熱させる。氷が回転することでカッター部８において氷が削り取られて、容器に作製されたかき氷が供給されていく。
【００３０】
バイメタルスイッチ７４による温度調節は以下の通りである。（１）スイッチが入ることでヒーター７０が加熱される。（２）３５℃±３．５℃になると自動的にスイッチが切れる。（３）余熱で温度はある程度上昇する。（４）氷で再び温度が下がっていく。（５）２５℃で再び自動的にスイッチが入る。上記の（１）〜（５）を繰り返す。
【００３１】
電源スイッチ６を押し続けることで氷の削り動作とヒーター等が作動し、氷をほぼ削った後に電源スイッチ６を押すのをやめる（オフ）にすることでモーター５２やヒーター７０の動作が停止する。同時にヒーター７０への加熱も停止される。
【００３２】
＜別実施形態＞
本実施形態ではヒーターの形態をしたヒーターを用いたがこれに限定されるものではない。ヒーターとしては、電熱線やカーボンヒーター、セラミックヒーター等の種々のものから選択することができる。
【００３３】
本実施形態では、モーターにより氷を回転させているが、手動で回転させる構成を採用してもよい。
【符号の説明】
【００３４】
１ａ      下部本体
１ｂ      上部本体
２        氷載置台
２０      氷載置板
３        前面カバー
４        操作ダイヤル
５        駆動本体部
５０      押圧板
５４      押圧板軸
７        ヒーターユニット
７０      ヒーター
７１      ヒーター保持体
７２      シリコンパッキン
７３      保護カバー
８        カッター部
【図１】
0003216831.tif 000003
【図２】
0003216831.tif 000004
【図３】
0003216831.tif 000005
【図４】
0003216831.tif 000006
【図５Ａ】
0003216831.tif 000007
【図５Ｂ】
0003216831.tif 000008
【図６】
0003216831.tif 000009
【図７】
0003216831.tif 000010
【図８】
0003216831.tif 000011
【手続補正書】
【提出日】平成30年4月25日(2018.4.25)
【手続補正１】
【補正対象書類名】実用新案登録請求の範囲
【補正対象項目名】請求項４
【補正方法】変更
【補正の内容】
【請求項４】
前記ヒーター保持体は金属製であることを特徴とする請求項２に記載の氷かき器。